(57)【要約】【課題】セルを跨がって移動した移動端末が優先クラスに設定されている場合、ＨＬＲが輻輳状態になっていても、その移動端末について通信サービスを優先的に提供する。【解決手段】他のエリアから移動してきた移動端末２がＨＬＲ３０へ向けて送信する位置登録信号を受付け、その内容に基づき、移動元エリアに対応する装置を特定する。特定された他の移動通信制御装置２００から、ＨＬＲへの送信処理が優先か非優先かを示す優先クラス情報を取得し、取得された優先クラス情報に基づいて、位置登録信号をＨＬＲ３０へ送信するか否か判定する。この判定の結果、優先ユーザからの位置登録信号についてはＨＬＲ３０へ送信する。ＨＬＲが輻輳状態になっていても、セルを跨がって移動した移動端末の優先クラス情報を取得できるので、通信サービスを優先的に提供できる。【選択図】      図２
2014003360.tif 000002
【特許請求の範囲】
【請求項１】
他の移動通信制御装置に対応する移動元エリアから、自装置に対応する移動先エリアに移動してきた移動端末からホーム加入者情報管理装置へ向けて送信される管理装置宛て信号を受付ける管理装置宛て信号受付部と、前記管理装置宛て信号受付部によって前記管理装置宛て信号を受付けた場合に、該管理装置宛て信号の内容に基づいて、前記移動元エリアに対応する前記他の移動通信制御装置を特定する移動元特定部と、前記移動元特定部によって特定された前記他の移動通信制御装置から、前記ホーム加入者情報管理装置への送信処理が優先か非優先かを示す優先クラス情報を取得する情報取得部と、前記情報取得部によって取得された前記優先クラス情報に基づいて、前記管理装置宛て信号を前記ホーム加入者情報管理装置へ送信するか否か判定する判定部と、前記判定部による判定の結果に応じて、前記管理装置宛て信号を前記ホーム加入者情報管理装置へ送信する送信部と、を含むことを特徴とする移動通信制御装置。
【請求項２】
請求項１において、
前記管理装置宛て信号受付部は、
他の移動通信制御装置に対応する移動元エリアから、自装置に対応する移動先エリアに移動してきた移動端末から位置登録先装置へ向けて送信される位置登録信号を、前記管理装置宛て信号として受付け、
前記判定部は、
前記情報取得部によって取得された前記優先クラス情報に基づいて、前記位置登録信号を前記ホーム加入者情報管理装置へ送信するか否か判定することを特徴とする移動通信制御装置。
【請求項３】
請求項２において、
前記情報取得部が取得する前記優先クラス情報は、
前記移動端末のユーザについて予め定められ、該移動端末からの発呼処理を他の移動端末からの発呼処理よりも優先して取り扱うことを示す加入者クラス情報であることを特徴とする移動通信制御装置。
【請求項４】
請求項１から請求項３までのいずれか１項に記載の移動通信制御装置と、
自装置の輻輳状態を検出する輻輳状態検出部と、前記輻輳状態検出部によって自装置の輻輳状態が検出された場合に、予め定められた輻輳処理を行う輻輳処理部とを含むホーム加入者情報管理装置と、
を有し、
前記移動通信制御装置は、前記管理装置宛て信号を前記ホーム加入者情報管理装置へ送信することを特徴とする移動通信システム。
【請求項５】
請求項４において、
前記輻輳状態検出部は、
前記ホーム加入者情報管理装置のトランザクションが、予め定められた第１の閾値を超えた場合に、自装置が輻輳状態であることを検出し、
前記輻輳処理部は、
自装置が第１の輻輳状態であることを前記輻輳状態検出部が検出した場合に、前記自装置宛て信号受付部が受付けた自装置宛て信号を破棄することを特徴とする移動通信システム。
【請求項６】
請求項４または５において、
前記輻輳状態検出部は、
前記ホーム加入者情報管理装置のトランザクションが、予め定められた第２の閾値を超えた場合に、自装置が輻輳状態であることを検出し、
前記輻輳処理部は、
自装置が第２の輻輳状態であることを前記輻輳状態検出部が検出した場合に、前記自装置宛て信号の送信元装置である移動通信制御装置へ、前記自装置宛て信号の送信の規制を指示するための送信規制指示信号を送信することを特徴とする移動通信システム。
【請求項７】
他の移動通信制御装置に対応する移動元エリアから、自装置に対応する移動先エリアに移動してきた移動端末からホーム加入者情報管理装置へ向けて送信される管理装置宛て信号を受付ける管理装置宛て信号受付ステップと、前記管理装置宛て信号受付ステップによって前記管理装置宛て信号を受付けた場合に、該管理装置宛て信号の内容に基づいて、前記移動元エリアに対応する前記他の移動通信制御装置を特定する移動元特定ステップと、前記移動元特定ステップによって特定された前記他の移動通信制御装置から、前記ホーム加入者情報管理装置への送信処理が優先か非優先かを示す優先クラス情報を取得する情報取得ステップと、前記情報取得ステップによって取得された前記優先クラス情報に基づいて、前記管理装置宛て信号を前記ホーム加入者情報管理装置へ送信するか否か判定する判定ステップと、前記判定ステップによる判定の結果に応じて、前記管理装置宛て信号を前記ホーム加入者情報管理装置へ送信する送信ステップと、を含むことを特徴とする移動通信制御方法。
【請求項８】
移動通信制御装置を制御する移動通信制御プログラムであって、
コンピュータに、
他の移動通信制御装置に対応する移動元エリアから、自装置に対応する移動先エリアに移動してきた移動端末からホーム加入者情報管理装置へ向けて送信される管理装置宛て信号を受付ける管理装置宛て信号受付ステップと、前記管理装置宛て信号受付ステップによって前記管理装置宛て信号を受付けた場合に、該管理装置宛て信号の内容に基づいて、前記移動元エリアに対応する前記他の移動通信制御装置を特定する移動元特定ステップと、前記移動元特定ステップによって特定された前記他の移動通信制御装置から、前記ホーム加入者情報管理装置への送信処理が優先か非優先かを示す優先クラス情報を取得する情報取得ステップと、前記情報取得ステップによって取得された前記優先クラス情報に基づいて、前記管理装置宛て信号を前記ホーム加入者情報管理装置へ送信するか否か判定する判定ステップと、前記判定ステップによる判定の結果に応じて、前記管理装置宛て信号を前記ホーム加入者情報管理装置へ送信する送信ステップと、
を実行させることを特徴とする移動通信制御プログラム。
【発明の詳細な説明】
【技術分野】
【０００１】
本発明は移動通信制御装置、移動通信システム、移動通信制御方法、移動通信制御プログラムに関し、特に移動端末からの位置登録信号の処理を行う移動通信制御装置、移動通信システム、移動通信制御方法、移動通信制御プログラムに関する。
【背景技術】
【０００２】
セル方式の移動端末通信においては、移動端末の移動に伴い、位置登録を行う必要がある場合がある（例えば、非特許文献１参照）。例えば、第１および第２の交換機それぞれに対応する第１および第２のセルが存在し、第１のセルに在圏していた移動端末が第２のセルに移動した場合（セルを跨いて移動した場合）、移動端末は位置登録を行う必要がある。すなわち交換機を跨がった移動をした場合に、新在圏先である第２のセルにおいて、位置登録を行う必要がある。
【０００３】
例えば、図１０に示すように、旧在圏セルである第１のセルに在圏していた加入者Ａの移動端末１が、新在圏セルである第２のセルに移動した場合（Ｓ１１）、加入者Ａの移動端末１は位置登録信号を送信する（Ｓ１２）。
新在圏セルに対応するＭＳＣ／ＶＬＲ１０は、移動端末１が送信した位置登録信号を受信すると、旧在圏セルに対応するＭＳＣ／ＶＬＲ２０から加入者Ａに関する認証情報を取得する（Ｓ１３）。そして、ＭＳＣ／ＶＬＲ１０において認証処理が行われる。また、ＭＳＣ／ＶＬＲ１０は、移動端末１が送信した位置登録に含まれている情報に基づいて、旧在圏セルである第１のセルに対応するＭＳＣ／ＶＬＲ２０を特定することができる。そして、ＭＳＣ／ＶＬＲ１０は、特定したＭＳＣ／ＶＬＲ２０に認証情報取得のための要求信号を出力し、この要求信号に対する応答信号としてＭＳＣ／ＶＬＲ２０は認証情報を送信する。このようにして、ＭＳＣ／ＶＬＲ１０は、加入者Ａに関する認証情報を取得することができる。
【０００４】
次に、ＭＳＣ／ＶＬＲ２０は、移動端末１が送信した位置登録信号を、ＨＬＲ３０に向けて送信する（Ｓ１４）。その結果、ＭＳＣ／ＶＬＲ２０は、ＨＬＲ３０から、加入者Ａに関する加入者情報をダウンロードすることができる（Ｓ１５）。その後、ＭＳＣ／ＶＬＲ２０は、ダウンロードされた加入者情報を参照し、ユーザの発信制御等を実施する。
ところで、ＭＳＣ／ＶＬＲ２０に対応するセルに移動端末が在圏している場合において、ＨＬＲ３０が輻輳状態になる場合がある。ＨＬＲが輻輳状態とは、ＨＬＲの装置自体が輻輳状態またはＨＬＲに至るまでの伝送路が輻輳状態になっている場合である。
【０００５】
ＨＬＲ３０が輻輳状態になっている場合、ＭＳＣ／ＶＬＲ２０は、ＨＬＲ３０からダウンロードした加入者情報に含まれている加入者クラスを参照し、以下のように規制制御を行う。例えば、図１１に示すように、加入者クラスが「一般ユーザ」である加入者Ａの移動端末１については、ＭＳＣ／ＶＬＲ２０は発信を規制する。この規制により、移動端末１から発信した場合（Ｓ２１ａ）、ＭＳＣ／ＶＬＲ１０において発信が規制されるため（Ｓ２２）、着信要求信号はＨＬＲ３０へ送信されない。これにより、発信が規制される。
【０００６】
一方、加入者クラスが「優先ユーザ」である加入者Ｂの移動端末２については、ＭＳＣ／ＶＬＲ２０は発信を規制しない。このため、移動端末２から発信した場合（Ｓ２１ｂ）、ＭＳＣ／ＶＬＲ１０において発信が許容され（Ｓ２２）、着信要求信号によるＨＬＲ３０へのアクセスが許容され（Ｓ２３）、発信処理が継続される。
このように、ＨＬＲ３０が輻輳状態になっている場合、加入者クラスの内容に基づいて、発信が規制される移動端末と、発信が許容される移動端末とがある。
【先行技術文献】
【非特許文献】
【０００７】
【非特許文献１】ＮＴＴドコモ、企業情報、「移動体通信のセル方式について〜3.位置登録」、[online]、[平成２４年４月２８日検索]、インターネット＜ＵＲＬ：http://www.nttdocomo.co.jp/corporate/technology/rd/tech/bn/cellular/03/index.html＞
【発明の概要】
【発明が解決しようとする課題】
【０００８】
上述したように、ＨＬＲが輻輳状態になっている場合、移動端末からの発信については、加入者クラスの内容に基づいて、規制される場合と許容される場合とがある。これに対し、移動端末からの位置登録信号はＨＬＲへのアクセス数が最も多い信号であり、ＨＬＲが輻輳状態になっている場合には、ＨＬＲへの送信が一律に規制されていた。
例えば、図１２に示すように、旧在圏セルである第１のセルに在圏していた加入者Ａの移動端末１が、新在圏セルである第２のセルに移動した場合（Ｓ３１）、加入者ＡまたはＢの移動端末１または２は位置登録信号を送信する（Ｓ３２）。
【０００９】
新在圏セルに対応するＭＳＣ／ＶＬＲ１０は、移動端末１または２が送信した位置登録信号を受信すると、旧在圏セルに対応するＭＳＣ／ＶＬＲ２０から加入者Ａに関する認証情報を取得する（Ｓ３３）。ここで、ＨＬＲ３０が輻輳状態になっているので、ＨＬＲ３０へアクセスができず、ＭＳＣ／ＶＬＲ２０は加入者ＡまたはＢに関する加入者情報をＨＬＲ３０からダウンロードすることができない。ＭＳＣ／ＶＬＲ２０が加入者情報を取得できないと、移動端末に対して提供すべきサービスを提供できない可能性がある。
【００１０】
例えば、加入者情報に含まれている加入者クラス情報を取得できないと、「優先ユーザ」に設定されている移動端末であるにもかかわらず、現実的には通信サービスを優先的に提供することができない。つまり、加入者クラスが「一般ユーザ」か「優先ユーザ」を問わず、発信が規制されることになる（Ｓ３４）。
本発明は上述した従来技術の問題点を解決するためになされたものであり、その目的はセルを跨がって移動した移動端末が優先クラスに設定されている場合、ＨＬＲが輻輳状態になっていても、その移動端末について通信サービスを優先的に提供できる移動通信制御装置、移動通信システム、移動通信制御方法、移動通信制御プログラムを提供することである。
【課題を解決するための手段】
【００１１】
本発明のある態様による移動通信制御装置は、他の移動通信制御装置に対応する移動元エリアから、自装置に対応する移動先エリアに移動してきた移動端末からホーム加入者情報管理装置へ向けて送信される管理装置宛て信号を受付ける管理装置宛て信号受付部（例えば、図１中の信号受付部１１に対応）と、前記管理装置宛て信号受付部によって前記管理装置宛て信号を受付けた場合に、該管理装置宛て信号の内容に基づいて、前記移動元エリアに対応する前記他の移動通信制御装置を特定する移動元特定部（例えば、図１中の移動元特定部１２に対応）と、前記移動元特定部によって特定された前記他の移動通信制御装置から、前記ホーム加入者情報管理装置への送信処理が優先か非優先かを示す優先クラス情報を取得する情報取得部（例えば、図１中の情報取得部１３に対応）と、前記情報取得部によって取得された前記優先クラス情報（例えば、図１中の優先クラス情報１３０に対応）に基づいて、前記管理装置宛て信号を前記ホーム加入者情報管理装置へ送信するか否か判定する判定部（例えば、図１中の判定部１４に対応）と、前記判定部による判定の結果に応じて、前記管理装置宛て信号を前記ホーム加入者情報管理装置へ送信する送信部（例えば、図１中の送信部１５に対応）と、を含むことを特徴とする。この構成により、セルを跨がって移動した移動端末が優先クラスに設定されている場合、ＨＬＲが輻輳状態になっていても、セルを跨がって移動した移動端末の優先クラス情報を取得できるので、その移動端末について通信サービスを優先的に提供できる。
【００１２】
前記管理装置宛て信号受付部は、他の移動通信制御装置に対応する移動元エリアから、自装置に対応する移動先エリアに移動してきた移動端末から位置登録先装置へ向けて送信される位置登録信号を、前記管理装置宛て信号として受付け、前記判定部は、前記情報取得部によって取得された前記優先クラス情報に基づいて、前記位置登録信号を前記ホーム加入者情報管理装置へ送信するか否か判定するようにしてもよい。こうすることにより、セルを跨がって移動した移動端末が優先クラスに設定されている場合、ＨＬＲが輻輳状態になっていても、セルを跨がって移動した移動端末の優先クラス情報を取得できるので、その移動端末からの位置登録信号をＨＬＲに向けて送信でき、その移動端末について通信サービスを優先的に提供できる。
【００１３】
また、前記情報取得部が取得する前記優先クラス情報は、前記移動端末のユーザについて予め定められ、該移動端末からの発呼処理を他の移動端末からの発呼処理よりも優先して取り扱うことを示す加入者クラス情報であってもよい。これにより、加入者クラス情報に基づき、その移動端末の発呼処理を優先的に行うことができる。
【００１４】
本発明のある態様による移動通信システムは、上記移動通信制御装置（例えば、図１の移動通信制御装置１００に対応）と、自装置の輻輳状態を検出する輻輳状態検出部（例えば、図５中の輻輳状態検出部３３に対応）と、前記輻輳状態検出部によって自装置の輻輳状態が検出された場合に、予め定められた輻輳処理を行う輻輳処理部（例えば、図５中の輻輳処理部３４に対応）とを含むホーム加入者情報管理装置と、を有し、前記移動通信制御装置が、前記管理装置宛て信号を前記ホーム加入者情報管理装置へ送信するようにしてもよい。こうすることにより、ホーム加入者情報管理装置の輻輳状態に応じて、輻輳処理を適切に行うことができる。
【００１５】
前記輻輳状態検出部は、前記ホーム加入者情報管理装置のトランザクションが、予め定められた第１の閾値を超えた場合に、自装置が輻輳状態であることを検出し、前記輻輳処理部は、自装置が第１の輻輳状態であることを前記輻輳状態検出部が検出した場合に、前記自装置宛て信号受付部が受付けた自装置宛て信号を破棄するようにしてもよい。こうすることにより、ホーム加入者情報管理装置の輻輳状態に応じて、輻輳処理を適切に行うことができる。
【００１６】
また、前記輻輳状態検出部は、前記ホーム加入者情報管理装置のトランザクションが、予め定められた第２の閾値を超えた場合に、自装置が輻輳状態であることを検出し、前記輻輳処理部は、自装置が第２の輻輳状態であることを前記輻輳状態検出部が検出した場合に、前記自装置宛て信号の送信元装置である移動通信制御装置へ、前記自装置宛て信号の送信の規制を指示するための送信規制指示信号を送信するようにしてもよい。こうすることにより、ホーム加入者情報管理装置の輻輳状態に応じて、輻輳処理を適切に行うことができる。
【００１７】
本発明のある態様による移動通信制御方法は、他の移動通信制御装置に対応する移動元エリアから、自装置に対応する移動先エリアに移動してきた移動端末からホーム加入者情報管理装置へ向けて送信される管理装置宛て信号を受付ける管理装置宛て信号受付ステップと、前記管理装置宛て信号受付ステップによって前記管理装置宛て信号を受付けた場合に、該管理装置宛て信号の内容に基づいて、前記移動元エリアに対応する前記他の移動通信制御装置を特定する移動元特定ステップと、前記移動元特定ステップによって特定された前記他の移動通信制御装置から、前記ホーム加入者情報管理装置への送信処理が優先か非優先かを示す優先クラス情報を取得する情報取得ステップと、前記情報取得ステップによって取得された前記優先クラス情報に基づいて、前記管理装置宛て信号を前記ホーム加入者情報管理装置へ送信するか否か判定する判定ステップと、前記判定ステップによる判定の結果に応じて、前記管理装置宛て信号を前記ホーム加入者情報管理装置へ送信する送信ステップと、を含むことを特徴とする。この方法を用いることにより、セルを跨がって移動した移動端末が優先クラスに設定されている場合、ＨＬＲが輻輳状態になっていても、セルを跨がって移動した移動端末の優先クラス情報を取得できるので、その移動端末について通信サービスを優先的に提供できる。
【００１８】
本発明のある態様による移動通信制御プログラムは、移動通信制御装置を制御する移動通信制御プログラムであって、コンピュータに、他の移動通信制御装置に対応する移動元エリアから、自装置に対応する移動先エリアに移動してきた移動端末からホーム加入者情報管理装置へ向けて送信される管理装置宛て信号を受付ける管理装置宛て信号受付ステップと、前記管理装置宛て信号受付ステップによって前記管理装置宛て信号を受付けた場合に、該管理装置宛て信号の内容に基づいて、前記移動元エリアに対応する前記他の移動通信制御装置を特定する移動元特定ステップと、前記移動元特定ステップによって特定された前記他の移動通信制御装置から、前記ホーム加入者情報管理装置への送信処理が優先か非優先かを示す優先クラス情報を取得する情報取得ステップと、前記情報取得ステップによって取得された前記優先クラス情報に基づいて、前記管理装置宛て信号を前記ホーム加入者情報管理装置へ送信するか否か判定する判定ステップと、前記判定ステップによる判定の結果に応じて、前記管理装置宛て信号を前記ホーム加入者情報管理装置へ送信する送信ステップと、を実行させることを特徴とする。このプログラムを用いることにより、セルを跨がって移動した移動端末が優先クラスに設定されている場合、ＨＬＲが輻輳状態になっていても、セルを跨がって移動した移動端末の優先クラス情報を取得できるので、その移動端末について通信サービスを優先的に提供できる。
【発明の効果】
【００１９】
本発明によれば、セルを跨がって移動した移動端末が優先クラスに設定されている場合、ＨＬＲが輻輳状態になっていても、その移動端末の優先クラス情報を取得できるので、その移動端末について通信サービスを優先的に提供できる。
【図面の簡単な説明】
【００２０】
【図１】本発明の実施形態による移動通信制御装置の構成例を示すブロック図である。
【図２】本実施形態による移動通信制御装置の動作例を示す図である。
【図３】図２中の各装置間の信号授受を示すシーケンス図である。
【図４】加入者クラスの設定例およびその判断例を示すフローチャートである。
【図５】ホーム加入者情報管理装置の構成例を示すブロック図である。
【図６】輻輳処理の例を示す図である。
【図７】輻輳処理の例を示す図である。
【図８】輻輳閾値の具体例を示す図であり、（Ａ）は時間の経過に伴いトラヒックが変化する場合の例を示す図、（Ｂ）は閾値の各領域に対する処理内容を示す図である。
【図９】第１閾値および第２閾値を用いた輻輳処理を示すシーケンス図である。
【図１０】位置登録を行う場合の例を示す図である。
【図１１】発信が規制される場合の例を示す図である。
【図１２】輻輳状態において、移動端末に対して提供すべきサービスを提供できない可能性があることを示す図である。
【発明を実施するための形態】
【００２１】
以下、本発明の実施の形態を、図面を参照して説明する。なお、以下の説明において参照する各図では、他の図と同等部分は同一符号によって示されている。
（移動通信制御装置の構成例）
図１は、本発明の実施形態による移動通信制御装置の構成例を示すブロック図である。図１を参照すると、本実施形態による移動通信制御装置１００は、交換機としての機能すなわちＭＳＣ（Mobile Switching Centre）機能１００ａと、ビジターロケーションレジスタとしての機能すなわちＶＬＲ（Visitor Location Register）機能１００ｂとを有している。
【００２２】
図１において、移動通信制御装置１００は、信号受付部１１と、移動元特定部１２と、情報取得部１３と、判定部１４と、送信部１５と、を備えている。
信号受付部１１は、移動端末などから送信される信号を受け付ける機能を有している。移動端末などから送信される信号には、ホーム加入者情報管理装置であるＨＬＲへ送信すべき管理装置宛て信号である位置登録信号も含まれる。
【００２３】
移動元特定部１２は、移動端末の移動元のセルに対応する、他の移動通信制御装置を特定する機能を有している。移動元特定部１２は、信号受付部１１が受け付けた位置登録信号の内容に基づき、移動端末の移動元のセルに対応する移動通信制御装置を特定する。移動端末から送信される位置登録信号には、ＬＡＩ（Location area identification）が含まれており、この内容を解析することによって、移動端末の移動元のセルに対応する移動通信制御装置を特定することができる。  情報取得部１３は、移動元特定部１２によって特定された、他の移動通信制御装置（図示せず）から、移動端末に関する認証情報を取得する機能を有している。本例では、情報取得部１３が取得する認証情報に、加入者クラスに関する情報が含まれている。つまり、情報取得部１３は、その移動端末の加入者の加入者クラスが、「優先ユーザ」、「一般ユーザ」のいずれであるかを示す優先クラス情報を取得することができる。
【００２４】
ここで、移動元特定部１２によって特定された、他の移動通信制御装置（図示せず）は優先クラス情報を保持している。そして、他の移動通信制御装置（図示せず）は、情報取得部１３が送信する要求信号を受け付けると、その応答信号として、優先クラス情報を含む認証情報を返信する。この応答信号を受信することによって、情報取得部１３は、優先クラス情報を取得することができる。応答信号については、「優先ユーザ」である場合にのみ、そのことを示すフラグをオンにしたり、そのことを示す識別情報を送信したりする（優先ユーザだった場合だけ送信する）ことによって、情報取得部１３が優先クラス情報を取得するようにしてもよい。なお、情報取得部１３が取得した優先クラス情報１３０は、例えば、ＶＬＲ機能１００ｂによって記憶される。
【００２５】
判定部１４は、優先クラス情報１３０の内容に基づいて、位置登録信号をＨＬＲへ送信するかどうか判定する機能を有している。送信部１５は、判定部１４による判定の結果に応じて、位置登録信号をＨＬＲへ送信する。
ＨＬＲが輻輳状態でなければ、判定部１４および送信部１５により、優先クラス情報１３０の内容いかんにかかわらず、位置登録信号はＨＬＲへ送信される。これに対し、ＨＬＲが輻輳状態である場合において、優先クラス情報１３０が「一般ユーザ」であれば、ＨＬＲへの送信は行われない。この場合、例えば、その信号は破棄される。一方、ＨＬＲが輻輳状態である場合において、優先クラス情報１３０が「優先ユーザ」であれば、判定部１４および送信部１５により、ＨＬＲへの送信が行われる。つまり、送信宛て先であるＨＬＲが輻輳状態であっても、「優先ユーザ」であれば、信号の送信が行われる。
なお、図１中の各部は、図示しないＣＰＵが、所定のプログラムを実行することなどによって実現できる。
【００２６】
（移動通信制御装置の動作例）
次に、本実施形態による移動通信制御装置の動作例について、図２を参照して説明する。図２において、旧在圏セルである第１のセルに在圏していた加入者Ｂの移動端末２が、新在圏セルである第２のセルに移動した場合（Ｓ１）、加入者Ｂの移動端末２は位置登録信号を送信する（Ｓ２）。
新在圏セルに対応するＭＳＣ／ＶＬＲである移動通信制御装置１００は、移動端末１または２が送信した位置登録信号を受信すると、上述したように旧在圏セルに対応するＭＳＣ／ＶＬＲ２００を特定し、ＭＳＣ／ＶＬＲ２００から加入者Ｂに関する認証情報を取得する（Ｓ３）。そして、ＭＳＣ／ＶＬＲ１００は認証処理を行う。また、本例では、この認証情報に、加入者クラスに関する情報が含まれており、ＭＳＣ／ＶＬＲ１００は、移動端末２の加入者Ｂの加入者クラスが、「優先ユーザ」、「一般ユーザ」のいずれであるかを示す優先クラス情報を取得することができる。
【００２７】
本例では、移動端末２の加入者Ｂの加入者クラスは「優先ユーザ」であるため、上記判定部１４の判定結果は、位置登録信号をＨＬＲへ送信する内容になる（Ｓ４）。これにより、加入者クラスが「優先ユーザ」である加入者Ｂの移動端末２から送信された位置登録信号は、ＨＬＲ３０へ送信される（Ｓ５）。
このように、加入者クラスが「優先ユーザ」である加入者の移動端末から送信された位置登録信号については、送信宛て先であるＨＬＲが輻輳状態であっても、信号の送信が行われる。
【００２８】
（各装置間の信号授受）
図３は、図２中の各装置間の信号授受を示すシーケンス図である。図３においては、移動端末の移動後のセルに対応する移動通信制御装置１００について「新ＭＳＣ／ＶＬＲ」、移動端末の移動前のセルに対応する移動通信制御装置２００について「旧ＭＳＣ／ＶＬＲ」、とそれぞれ表記している。
図３において、移動通信制御装置（旧ＭＳＣ／ＶＬＲ）２００に対応するセルに在圏していた移動端末２が、移動通信制御装置（新ＭＳＣ／ＶＬＲ）１００に対応するセルに移動すると（Ｓ１０１）、移動端末２は位置登録信号を送信する（Ｓ１０２）。
【００２９】
移動通信制御装置（新ＭＳＣ／ＶＬＲ）１００は、移動端末２が送信した位置登録信号を受信すると（Ｓ１０３）、その位置登録信号に基づき、移動端末２の移動元のセルに対応する移動通信制御装置（旧ＭＳＣ／ＶＬＲ）２００を特定する（Ｓ１０４）。移動通信制御装置（新ＭＳＣ／ＶＬＲ）１００は、特定した移動通信制御装置（旧ＭＳＣ／ＶＬＲ）２００へ認証情報取得要求信号を送信する（Ｓ１０５）。この認証情報取得要求を受信した移動通信制御装置（旧ＭＳＣ／ＶＬＲ）２００は、認証情報応答信号を返信する（Ｓ１０６）。
【００３０】
移動通信制御装置（旧ＭＳＣ／ＶＬＲ）２００が返信する認証情報応答信号を受信すると、移動通信制御装置（新ＭＳＣ／ＶＬＲ）１００は、認証処理を行う。また、認証情報応答信号には、移動端末２の加入者クラスに関する情報である優先クラス情報が含まれているため、移動通信制御装置（新ＭＳＣ／ＶＬＲ）１００は、移動端末２の加入者クラスに関する情報を取得することができる（Ｓ１０７）。
【００３１】
移動通信制御装置（新ＭＳＣ／ＶＬＲ）１００は、移動端末２の加入者クラスに関する情報である優先クラス情報に基づいて、移動端末２が送信した位置登録信号をＨＬＲ３０へ送信するか否か判定する（Ｓ１０８）。ＨＬＲ３０が輻輳状態である場合、移動端末２の加入者クラスが「優先ユーザ」であれば、ＨＬＲ３０へ送信すると判定される。
【００３２】
ＨＬＲ３０へ送信すると判定されれば（Ｓ１０８：ＹＥＳ）、移動通信制御装置（新ＭＳＣ／ＶＬＲ）１００は、移動端末２が送信した位置登録信号をＨＬＲ３０へ送信する（Ｓ１０９）。この位置登録信号を受信したＨＬＲ３０は、位置登録処理を行う（Ｓ１１０）。
一方、ＨＬＲ３０が輻輳状態である場合、移動端末２の加入者クラスが「一般」であれば、移動端末２が送信した位置登録信号はＨＬＲ３０へ送信しないと判定される（Ｓ１０８：ＮＯ）。この結果、移動端末２が送信した位置登録信号は、例えば、破棄される。
【００３３】
（ＨＬＲへ送信する信号への加入者クラスの設定例）
ここで、ＨＬＲへ送信する信号への加入者クラスの設定例について説明する。移動通信制御装置（ＭＳＣ／ＶＬＲ）からＨＬＲへ送信する信号への加入者クラスの設定については、ユーザの加入者クラス情報だけではなく、システム種別（例えば衛星電話に関連するシステムまたはネットワークは、優先システムまたはネットワークとする）、信号種別（例えば災害伝言板等のサービスに用いる信号は優先扱いとする）によっても判断する。
【００３４】
この判断例について図４を参照して説明する。図４において、まず、送信元のシステムまたはネットワーク（ＮＷ）は、優先すべきシステムまたはネットワークであるか否か判断する（ステップＳ２０１）。この判断の結果、優先すべきシステムまたはネットワークである場合（ステップＳ２０１：ＹＥＳ）、加入者クラスを「優先」に設定する（ステップＳ２０２）。
【００３５】
ステップＳ２０１の判断の結果、優先すべきシステムやネットワークではない場合（ステップＳ２０１：ＮＯ）、次に、該当加入者は優先ユーザであるか否か判断する（ステップＳ２０３）。この判断の結果、優先ユーザである場合（ステップＳ２０３：ＹＥＳ）、加入者クラスを「優先」に設定する（ステップＳ２０４）。
ステップＳ２０３の判断の結果、優先ユーザではない場合（ステップＳ２０３：ＮＯ）、次に、その送信信号は他の信号よりも優先して送信すべき信号であるか否か判断する（ステップＳ２０５）。この判断の結果、優先して送信すべき信号である場合（ステップＳ２０５：ＹＥＳ）、加入者クラスを「優先」に設定する（ステップＳ２０６）。
【００３６】
ステップＳ２０５の判断の結果、優先して送信すべき信号ではない場合（ステップＳ２０５：ＮＯ）、加入者クラスを「一般」に設定する（ステップＳ２０７）。
以上のように加入者クラスを設定すれば、優先ユーザからの信号について優先的に処理できるだけでなく、例えば衛星電話に関連するシステムやネットワークからの送信信号について優先的に処理したり、例えば災害時に起動するサービスに用いる信号は優先的に処理したりする、という取り扱いを実現できる。
【００３７】
移動通信制御装置（ＭＳＣ／ＶＬＲ）からＨＬＲへ送信する信号に限らず、ＨＬＲへ信号を送信する機能を有する他の装置においても、上記と同様に加入者クラスを設定してもよい。また、加入者クラスの設定だけではなく、ＨＬＲへの信号送信規制の際にも上記の判断を適用してもよい。これにより、ＨＬＲが輻輳状態である場合において、ユーザの加入者クラス情報だけではなく、システム種別、信号種別による規制制御を実現できる。
【００３８】
（加入者クラスの取得制御の例）
旧在圏セルに対応する移動通信制御装置（ＭＳＣ／ＶＬＲ）からの加入者クラスの取得制御については、以下のように処理を行ってもよい。
（１）位置登録の際に、移動機から移動通信制御装置（ＭＳＣ／ＶＬＲ）に送信される位置登録信号に設定されるユーザＩＤが、ＴＭＵＩではなくＩＭＵＩが設定されていた場合は、加入者クラスを優先クラスとして扱う。
（２）位置登録の際に、移動機から移動通信制御装置（ＭＳＣ／ＶＬＲ）に送信される位置登録信号に設定される旧在圏交換機のエリア情報が自網エリア情報ではない場合は、加入者クラスを優先クラスとして扱う。
【００３９】
（３）旧在圏セルに対応する移動通信制御装置（旧ＭＳＣ／ＶＬＲ）から、新在圏セルに対応する移動通信制御装置（新ＭＳＣ／ＶＬＲ）への信号に、加入者クラスが設定されていない場合は、加入者クラスを優先クラスとして扱う。
（４）旧在圏セルに対応する移動通信制御装置（旧ＭＳＣ／ＶＬＲ）から、新在圏セルに対応する移動通信制御装置（新ＭＳＣ／ＶＬＲ）への加入者クラスの取得制御、および、移動通信制御装置（新ＭＳＣ／ＶＬＲ）からＨＬＲへの位置登録信号への加入者クラスの設定は、ＨＬＲが輻輳状態ではない定常状態の場合に行ってもよい。これにより、後述する、ＨＬＲでの１段階目の輻輳規制を実現できる。
【００４０】
（ホーム加入者情報管理装置の構成例）
次に、本実施形態によるホーム加入者情報管理装置の構成例について説明する。図５は、本実施形態によるホーム加入者情報管理装置の構成例を示すブロック図である。図５において、本実施形態によるホーム加入者情報管理装置（ＨＬＲ）３０は、信号受付部３１と、加入者情報記憶部３２と、輻輳状態検出部３３と、輻輳処理部３４と、を備えている。
【００４１】
信号受付部３１は、移動通信制御装置（ＭＳＣ／ＶＬＲ）から送信される位置登録信号の他、各種の信号を受信する機能を有している。
加入者情報記憶部３２は、加入者情報を記憶する機能を有している。例えば、移動端末が送信した位置登録信号を信号受付部３１が受信すると、位置登録処理が行われ、その移動端末の位置情報が加入者情報記憶部３２に記憶される。
【００４２】
輻輳状態検出部３３は、ホーム加入者情報管理装置３０自体の輻輳や自装置に至るまでの伝送路の輻輳を検出する機能を有している。輻輳状態検出部３３による輻輳状態の検出は、例えば、予め定められた閾値との比較によって行う。
輻輳処理部３４は、輻輳状態検出部３３が輻輳状態を検出した場合に、輻輳処理を行う機能を有している。輻輳処理は、例えば、信号の破棄処理や、発信規制などの制御信号を他の装置へ送信する処理など、である。
なお、図１中の各部は、図示しないＣＰＵが、所定のプログラムを実行することなどによって実現できる。
【００４３】
（輻輳閾値について）
ＨＬＲ３０の輻輳状態検出部３３は、輻輳検出に用いる閾値を複数種類保持していてもよい。例えば、２段階の輻輳閾値を保持していてもよい。
輻輳状態検出部３３が第１閾値および第２閾値を保持している場合における、輻輳処理の例について、図６および図７を参照して説明する。
図６において、加入者クラスが「一般ユーザ」である加入者Ａの移動端末１から発信されると（Ｓ６１ａ）、移動通信制御装置１００は、着信要求および加入者クラス「一般ユーザ」という情報を含むアクセス信号をＨＬＲ３０に向けて送信する（Ｓ６２ａ）。また、加入者クラスが「優先ユーザ」である加入者Ｂの移動端末２から発信されると（Ｓ６１ｂ）、移動通信制御装置１００は、着信要求および加入者クラス「優先ユーザ」という情報を含むアクセス信号をＨＬＲ３０に向けて送信する（Ｓ６２ｂ）。
【００４４】
ＨＬＲ３０では、ＨＬＲ３０が受信する信号数が１段階目の輻輳閾値（第１閾値）を超過しているか判定を行っている。受信する信号数が１段階目の輻輳閾値を超過した場合、輻輳状態検出部３３が超過したことを検出し、輻輳状態検出部３３は第１閾値に対応する指示を輻輳処理部３４に対して行う。輻輳処理部３４は、着信要求およびという情報を含む、加入者Ａの移動端末１からのアクセス信号を破棄する（Ｓ６３）。また、輻輳処理部３４は、着信要求および加入者クラス「優先ユーザ」という情報を含む、加入者Ｂの移動端末２からのアクセス信号を処理する（破棄しない）。
【００４５】
次に、ＨＬＲ３０が受信する信号数が２段階目の輻輳閾値（第２閾値）を超過した場合、輻輳状態検出部３３が超過したことを検出し、輻輳状態検出部３３は第２閾値に対応する指示を輻輳処理部３４に対して行う。図６を参照して説明した１段階目の輻輳処理は信号破棄（加入者クラス「一般ユーザ」のアクセス信号を破棄）であるのに対し、本例では２段階目の輻輳処理は規制指示である（Ｓ７１）。すなわち、受信する信号数が２段階目の輻輳閾値を超過した場合、輻輳状態検出部３３が超過したことを検出し、輻輳状態検出部３３は第２閾値に対応する指示を輻輳処理部３４に対して行う。この指示を受けた輻輳処理部３４は、移動通信制御装置１００へ規制指示を行う（Ｓ７２）。
【００４６】
この規制指示を受信した移動通信制御装置１００は、加入者クラス「一般ユーザ」のアクセス信号について発信を規制し、加入者クラス「優先ユーザ」のアクセス信号について発信を許容する。すなわち、加入者クラスが「一般ユーザ」である加入者Ａの移動端末１から発信され（Ｓ７３ａ）、加入者クラスが「優先ユーザ」である加入者Ｂの移動端末２から発信された場合（Ｓ７３ｂ）、移動通信制御装置１００は加入者クラスを参照し、加入者クラスが「一般ユーザ」である加入者Ａの移動端末１については発信を規制する（Ｓ７４）。また、移動通信制御装置１００は加入者クラスを参照し、加入者クラスが「優先ユーザ」である加入者Ｂの移動端末２については発信を許容する（Ｓ７４）。このため、移動通信制御装置１００は、着信要求および加入者クラス「優先ユーザ」という情報を含む、加入者Ｂの移動端末２からのアクセス信号については、ＨＬＲ３０に向けて送信する（Ｓ７５）。
【００４７】
（輻輳閾値の具体例）
次に、図８を参照して、輻輳閾値の具体例について説明する。図８（Ａ）は、時間ｔの経過に伴い、ＨＬＲへの送信トラヒックが変化する場合の例を示す図である。
図中の第１閾値ＴＨ１は一般加入者の発着信及び位置登録の信号を破棄する閾値であり、通常の処理を行う限界値である。本例では、ＨＬＲへの送信トラヒックの値＝２０００ＴＰＳ(Transactions Per Second)を通常の処理を行う限界値とする。このため、ＨＬＲへの送信トラヒックのトランザクションが２０００ＴＰＳ(Transactions Per Second)を超過すると、通常の処理を行わなくなる。
【００４８】
また、図中の第２閾値ＴＨ２は処理不能領域に達する閾値である。したがって、第１閾値ＴＨ１以下の領域が通常呼処理可能領域、第１閾値ＴＨ１を超過しかつ第２閾値ＴＨ２以下の領域が限界超過領域、第２閾値ＴＨ２を超過した領域が処理不能領域、である。
図８（Ｂ）は、閾値の各領域に対する、処理内容を示す図である。
ＨＬＲへの送信トラヒック（ＨＬＲが受信する信号数）が第１閾値ＴＨ１以下（≦ＴＨ１）であれば、限界値以下であるため、加入者クラスが「一般ユーザ」である一般呼、加入者クラスが「優先ユーザ」である優先呼について、同様に処理が行われる。
【００４９】
また、ＨＬＲへの送信トラヒック（ＨＬＲが受信する信号数）が第１閾値ＴＨ１を超過し（＞ＴＨ１）、第２閾値以下（≦ＴＨ２）であれば、限界値超過から処理不能領域までの値であるため、本例では２０００ＴＰＳを超える、一般加入者からの、発着信及び位置登録の信号を破棄する。これは第１の輻輳状態である。
そして、２０００ＴＰＳを超える信号は破棄するが、例えば、２３００ＴＰＳの信号を受信すると、ＨＬＲから対向装置へ規制信号を送信し、対向装置にて一般加入者の信号を規制する。これは第２の輻輳状態である。
【００５０】
なお、ＨＬＲへの送信トラヒック（ＨＬＲが受信する信号数）が第２閾値ＴＨ２を超過した場合（＞ＴＨ２）、ＨＬＲにおいて信号破棄処理を行えず、輻輳状態となり、信号処理ができなくなる。
以上のように、ＨＬＲが受信する信号数が１段階目の輻輳規制値を超過した場合、例えば、ＨＬＲ内部で信号の破棄を行う。信号破棄処理は、例えば、加入者クラスが一般ユーザの信号を破棄し、優先ユーザの信号は破棄しないようにすることで行う。なお、１段階目、２段階目の閾値については、固定値とするのではなく、その値を変更できるようにしてもよい。
【００５１】
また、ＨＬＲが受信する信号数が２段階目の輻輳規制値を超過した場合、ＨＬＲから移動通信制御装置へ規制指示信号を送信し、移動通信制御装置ではＨＬＲからの指示に従い、ＨＬＲへの信号規制を行う。この信号規制は、例えば、加入者クラスが一般ユーザである信号を規制し、加入者クラスが優先ユーザの信号は規制しないようにすることで行う。ＨＬＲから移動通信制御装置へ規制指示信号にパラメータを追加し、このパラメータにより、加入者クラスが一般ユーザである信号の何％を規制するか指示することも可能である。さらに、このパラメータにより、加入者クラスが優先ユーザについても何％を規制するか指示することも可能である。
【００５２】
上述した第１閾値および第２閾値を用いた輻輳処理について、さらに図９を参照して説明する。図９を参照すると、まず、ＨＬＲ３０において、ＨＬＲ３０が受信する信号数が第１閾値を超過した場合（第１の輻輳状態）、ＨＬＲ３０での信号破棄による輻輳処理が行われる（ステップＳ３０１：ＹＥＳ、ステップＳ３０２）。ＨＬＲ３０での信号破棄による輻輳処理は、例えば、加入者クラスが優先ユーザの信号は破棄せずに通常通り処理し、加入者クラスが一般ユーザ（つまり非優先）の信号は破棄し、優先ユーザの信号は破棄しないようにすることで行う。
【００５３】
また、ＨＬＲ３０が受信する信号数が第２閾値を超過した場合（第２の輻輳状態）、ＨＬＲ３０は、移動通信制御装置１００へ規制指示信号を送信する（ステップＳ３０１：ＮＯ、ステップＳ３０３：ＹＥＳ、ステップＳ３０４）。規制指示信号を受信した移動通信制御装置１００は、規制処理を行う。移動通信制御装置１００での規制処理は、例えば、加入者クラスが優先ユーザの移動端末については規制せずに通常通り発信を許容し、加入者クラスが一般ユーザ（つまり非優先）の移動端末については発信を規制することで行う。
このように２段階の閾値を設けておくことにより、輻輳状態の程度に応じて信号破棄制御、規制制御という２段階の処理を行うことができる。したがって、サービスを継続して提供することが前提である移動通信サービスにおいて、処理性能限界までは信号処理を行い、かつ、装置を自衛することができる。
【００５４】
（移動通信制御方法）
上述した移動通信制御装置においては、以下の移動通信制御方法が実現されている。すなわち、他の移動通信制御装置に対応する移動元エリアから、自装置に対応する移動先エリアに移動してきた移動端末からホーム加入者情報管理装置へ向けて送信される管理装置宛て信号を受付ける管理装置宛て信号受付ステップと、前記管理装置宛て信号受付ステップによって前記管理装置宛て信号を受付けた場合に、該管理装置宛て信号の内容に基づいて、前記移動元エリアに対応する前記他の移動通信制御装置を特定する移動元特定ステップと、前記移動元特定ステップによって特定された前記他の移動通信制御装置から、前記ホーム加入者情報管理装置への送信処理が優先か非優先かを示す優先クラス情報を取得する情報取得ステップと、前記情報取得ステップによって取得された前記優先クラス情報に基づいて、前記管理装置宛て信号を前記ホーム加入者情報管理装置へ送信するか否か判定する判定ステップと、前記判定ステップによる判定の結果に応じて、前記管理装置宛て信号を前記ホーム加入者情報管理装置へ送信する送信ステップと、を含むことを特徴とする移動通信制御方法が実現されている。この方法を用いることにより、セルを跨がって移動した移動端末が優先クラスに設定されている場合、ＨＬＲが輻輳状態になっていても、セルを跨がって移動した移動端末の優先クラス情報を取得できるので、その移動端末について通信サービスを優先的に提供できる。
【００５５】
（移動通信制御プログラム）
上述した移動通信制御装置においては、以下の移動通信制御プログラムが用いられている。すなわち、移動通信制御装置を制御する移動通信制御プログラムであって、コンピュータに、他の移動通信制御装置に対応する移動元エリアから、自装置に対応する移動先エリアに移動してきた移動端末からホーム加入者情報管理装置へ向けて送信される管理装置宛て信号を受付ける管理装置宛て信号受付ステップと、前記管理装置宛て信号受付ステップによって前記管理装置宛て信号を受付けた場合に、該管理装置宛て信号の内容に基づいて、前記移動元エリアに対応する前記他の移動通信制御装置を特定する移動元特定ステップと、前記移動元特定ステップによって特定された前記他の移動通信制御装置から、前記ホーム加入者情報管理装置への送信処理が優先か非優先かを示す優先クラス情報を取得する情報取得ステップと、前記情報取得ステップによって取得された前記優先クラス情報に基づいて、前記管理装置宛て信号を前記ホーム加入者情報管理装置へ送信するか否か判定する判定ステップと、前記判定ステップによる判定の結果に応じて、前記管理装置宛て信号を前記ホーム加入者情報管理装置へ送信する送信ステップと、を実行させることを特徴とする移動通信制御プログラムが用いられている。このプログラムを用いることにより、セルを跨がって移動した移動端末が優先クラスに設定されている場合、ＨＬＲが輻輳状態になっていても、セルを跨がって移動した移動端末の優先クラス情報を取得できるので、その移動端末について通信サービスを優先的に提供できる。
【００５６】
（まとめ）
以上説明したように、移動端末の移動元のセルに対応する、他の移動通信制御装置を特定し、特定された装置から、その移動端末の加入者クラスに関する情報を取得することができる。その移動端末の加入者の加入者クラスが、「優先ユーザ」、「一般ユーザ」のいずれであるかを示す情報を取得することにより、セルを跨がって移動した移動端末が優先クラスに設定されている場合、ＨＬＲが輻輳状態になっていても、その移動端末については規制せず、通信サービスを優先的に提供することができる。つまり、加入者クラス情報を取得することにより、ＨＬＲへの位置登録信号の送信可否判定や位置登録信号への加入者クラス情報の設定を行うことにより、ＨＬＲ輻輳時のシステム毎、付加サービス毎、加入者クラス毎の規制制御を実現できる。
【００５７】
なお、本発明の範囲は、図示され記載された例示的な実施形態に限定されるものではなく、本発明が目的とするものと均等な効果をもたらすすべての実施形態をも含む。さらに、本発明の範囲は、請求項により画される発明の特徴の組み合わせに限定されるものではなく、すべての開示されたそれぞれの特徴のうち特定の特徴のあらゆる所望する組み合わせによって画されうる。
【符号の説明】
【００５８】
１、２  移動端末
１１、３１  信号受付部
１２  移動元特定部
１３  情報取得部
１４  判定部
１５  送信部
３０  ホーム加入者情報管理装置
３２  加入者情報記憶部
３３  輻輳状態検出部
３４  輻輳処理部
１００、２００  移動通信制御装置
１３０  優先クラス情報
【図１】
2014003360.tif 000003
【図２】
2014003360.tif 000004
【図３】
2014003360.tif 000005
【図４】
2014003360.tif 000006
【図５】
2014003360.tif 000007
【図６】
2014003360.tif 000008
【図７】
2014003360.tif 000009
【図８】
2014003360.tif 000010
【図９】
2014003360.tif 000011
【図１０】
2014003360.tif 000012
【図１１】
2014003360.tif 000013
【図１２】
2014003360.tif 000014